(57)【要約】【課題】店舗システムでの注文商品の処理が容易に確実にできるようにするとともに、店舗システムのコストを低減する。【解決手段】店舗システムに、レジスタ対応の注文表示器と、レジスタ対応の表示器に注文を表示するための表示コントローラを設ける。レジスタ＃１〜＃ｎで客の注文を受け付けると、レジスタ番号・商品個数・商品名・レシート番号・注文形態等が、表示コントローラ１１に送信される。表示コントローラ１１は、送られて来た注文内容を、レジスタに対応する表示器１３または表示器１７に表示する。従業員は、表示器１３と表示器１７を見ながら、注文商品を準備して、客に渡す。次の客の注文を表示するために、表示器と対になっているコントロールキー１４またはコントロールキー１８を押す。【選択図】　　　図１
2004046511.tif 000002
【特許請求の範囲】
【請求項１】
客の注文を登録するレジスタと、画面を見ながら注文商品の準備をするための表示コントローラとを備えた店舗システムにおいて、前記レジスタに、前記注文商品を前記表示コントローラに送信する手段を備え、前記表示コントローラに、前記レジスタと通信する手段と、注文内容を前記レジスタ毎に別々に表示する表示器と、前記表示器の画面を制御するキー手段とを備えたことを特徴とする店舗システム。
【請求項２】
前記レジスタに、注文商品を表示する表示器を選択する手段を設け、前記表示コントローラに、各レジスタの注文内容を表示する表示器を設定する手段と、複数のレジスタの注文商品を同一の表示器に表示する制御手段と、注文内容を消去する手段とを設けたことを特徴とする請求項１に記載の店舗システム。
【請求項３】
前記レジスタに、注文商品を表示する表示器と表示位置を選択する手段を設け、前記表示コントローラに、複数のレジスタの注文商品を同一の表示器に表示する制御手段と、各レジスタの画面を制御するキー手段と、注文内容を消去する手段とを設けたことを特徴とする請求項１に記載の店舗システム。
【請求項４】
前記レジスタに、前記表示器の画面を制御する画面制御キーと、前記画面制御キーの情報を前記表示コントローラに送信する手段とを設け、前記表示コントローラに、前記レジスタからのキー情報に基づき注文内容を消去する手段を設けたことを特徴とする請求項１に記載の店舗システム。
【請求項５】
客の注文を登録するレジスタと、画面を見ながら注文商品の準備をするための表示器とを備えた店舗システムにおいて、前記レジスタに、前記表示器に注文内容を送信する手段と、前記表示器の表示画面を消去するキー手段とを備えたことを特徴とする店舗システム。
【請求項６】
客の注文を登録するレジスタと、画面を見ながら注文商品の準備をするための注文表示器とを備えた店舗システムにおいて、前記レジスタに、注文登録中画面と商品準備中画面を同時に表示する手段と、前記注文表示器と無線で通信する手段とを設け、前記注文表示器に、前記レジスタのエミュレートを行う手段と、レジスタ操作用の登録用画面と注文商品を表示する画面を表示する手段とを設けたことを特徴とする店舗システム。
【請求項７】
登録された注文商品データをレジスタから受信する手段と、注文内容を前記レジスタ毎に別々に表示する表示器と、前記表示器の画面を制御するキー手段とを具備することを特徴とする店舗システム表示コントローラ。
【請求項８】
前記レジスタから注文商品を表示する表示器を選択する信号を受信する手段と、各レジスタの注文内容を表示する表示器を設定する手段と、複数のレジスタの注文商品を同一の表示器に表示する制御手段と、注文内容を消去する手段とを備えたことを特徴とする請求項７に記載の店舗システム表示コントローラ。
【請求項９】
前記レジスタから注文商品を表示する表示器と表示位置を選択する信号を受信する手段と、複数のレジスタの注文商品を同一の表示器に表示する制御手段と、各レジスタの画面を制御するキー手段と、注文内容を消去する手段とを備えたことを特徴とする請求項７に記載の店舗システム表示コントローラ。
【請求項１０】
前記レジスタから前記表示器の画面を制御する画面制御キーの情報を受信する手段と、前記レジスタからのキー情報に基づき注文内容を消去する手段とを備えたことを特徴とする請求項７に記載の店舗システム表示コントローラ。
【発明の詳細な説明】
【０００１】
【発明の属する技術分野】
本発明は、店舗システムに関し、特に、客の注文商品をレジスタ毎に別々の表示器に表示し、画面を見ながら注文商品を準備するようにした店舗システムに関する。
【０００２】
【従来の技術】
従来のファーストフードレストランでは、図２３に示すような販売形態で営業している。注文を行う客２３１と、注文を取る従業員２３６が、対面して販売を行う。客の注文を、レジスタ２３４に登録する。注文が終了し、会計処理等の締め処理を行うと、レシートプリンタ２３３から、図２４に示す様なレシート２３５を印字する。商品を準備する従業員２３７は、レシート２３５を見ながら商品を準備する。商品を準備する間、注文が終了した客２３２は、レジスタ２３４の横に移動してもらう。商品の準備ができたら、客２３２に商品を渡し、処理が終了する。このような販売形態をとる目的は、早い客さばきを行うためである。すなわち、商品を準備している間、注文を終えた客がレジスタの前にいると、注文待ちの客の登録処理ができないので、それを防ぐためである。
【０００３】
このような販売システムでは、レシートで注文商品を確認するために、注文商品の確認が難しい。商品を取り揃える時に、レシートをトレーに乗せたり、トレーの側に置いたりするために、飲み物等がこぼれた時に、レシートが汚れる。それを避けるために、受注した商品を表示装置に表示する店舗システムが利用されている。この店舗システムでは、商品の受注業務を行う受注装置と、受注装置から送出された注文データを表示する注文データ表示装置と、客との間で代金と注文商品との引換を行う会計装置とが、それぞれ伝送路で接続されている。
【０００４】
客は、受注係に、注文商品と注文個数を告げる。受注係が受注装置に注文データをキー入力する。客の注文データのキー入力操作が終了した時点で、送信キーを押す。客の注文データが、厨房内に設置された注文データ表示装置へ送信される。注文データ表示装置には、複数の表示ブロックで構成された表示部がある。受注装置から一人の客の注文データを受信すると、表示部のうちの、まだ注文データが表示されていない空の表示ブロックに表示する。
【０００５】
厨房内では、この表示部の各表示ブロックに表示された表示内容に基づいて、調理係が商品を調理する。出来上った商品は、商品袋詰係にて袋詰めされて、会計係に手渡される。会計係が、会計装置のキーボードに取付けられた注文データの呼出キーを押すと、読出指令が注文データ表示装置へ送信される。注文データ表示装置は、表示部の各表示ブロックに表示された各注文データのうちの最も古い注文データを、会計装置へ返信する。会計係は、客に袋詰された商品を渡し、代金を受領して、会計装置に登録する。
【０００６】
このようなシステムであると、厨房内には、客が注文した各商品および各個数からなる注文データが、客毎に表示部の各表示ブロックに表示されているので、調理係は、これから調理すべき商品および個数が一目で把握できる。以下に、従来の店舗システムの例をいくつかあげる。
【０００７】
特開平５−１５１４６７号公報に開示された「顧客注文処理装置」は、顧客へのサービス時間を管理し、顧客のオーダーのキッチンへの迅速な伝達と、オーダーを準備する時間を短縮するものである。レジスタターミナルは、登録した顧客のオーダーを遂次、キッチンビデオコントローラに伝送する。キッチンビデオコントローラは、受信したオーダーを遂次、表示装置に表示する。オーダーの準備を担当する者における準備が完了し次第、表示装置上のオーダーをコントロールスイッチで消去すると、オーダーを受信した時点からオーダーが消去されるまでの時間が計測され、キッチンビデオコントローラ内にストアされる。レジスタターミナルは、このサービス時間データをキッチンビデオコントローラから集計してレポートを発行する。
【０００８】
特開平０５−３２４６７５号公報に開示された「ドライブスルー購入システム」は、複数の客あるいは客の複数の注文商品を集める際の表示装置の内容を正確、且つ、迅速に確認できるようにするものである。客Ａ、Ｂ、Ｃ、Ｄからの注文商品をレジスタから入力する。客Ａが赤色、客Ｂが青色、客Ｃが黄色、客Ｄが青色で表示される。店員が、客Ａについては注文商品を集め終え、次の客Ｂからの注文商品を集めている間に、他の店員は、客Ａの注文商品を手渡して、リモート消去スイッチにより、客Ａの表示画面を消去する。客Ａの表示画面が消去され、客Ｂの青色、客Ｃの黄色、客Ｄの青色が順に表示される。
【０００９】
特公平７−７６９９６号公報に開示された「注文デ−タ表示装置」は、複数の表示ブロックを有し、受注装置から入力される各注文データを各表示ブロックに表示し、会計装置からの読出指令にて注文データを会計装置へ送出するとともに該当注文データの表示を消去するようにした注文データ表示装置である。各注文データを表示する表示ブロックの他に、各注文データに関する累計データを表示する累計表示ブロックを設ける。まだ表示されていない注文データの内容をも把握でき、商品販売業務全体の作業能率を大幅に向上できる。
【００１０】
特開平０７−１９２１７４号公報に開示された「電子式キャッシュレジスタ装置」は、ドライブスルーレストラン等において、対面販売ができるようにして、客の満足度を向上させるものである。複数のレジスタで、商品の注文受け付けと会計処理の両方を行ない、データを、通信回線を通じて送信する。表示制御装置で、各レジスタから送信されてきた注文データを受信し、商品を引き渡す順番に一致させて、表示器に表示する。各レジスタからの注文の順番が変わっても、商品引き渡し窓口では、車の順番と注文表示の順番とが一致するように、表示制御装置で制御する。
【００１１】
特開平０９−０３５１４７号公報に開示された「電子レジスタ」は、外食産業において、レジスタターミナルで登録した顧客の注文を、キッチンへ伝送して表示する電子レジスタ装置である。レジスタターミナルの設定業務において、キッチンビデオの表示機能を設定することにより、それぞれの店舗の管理方法に合致したキッチンビデオの表示制御機能を、容易に柔軟に選択できるようにした。レジスタターミナルは、登録した顧客の注文を、逐次キッチンビデオコントローラへ伝送する。キッチンビデオコントローラは、受信した注文を逐次表示装置へ表示する。レジスタターミナルは、ビデオコントローラの各表示装置に対応して、表示画面のフォーマットと表示制御機能の設定データを入力した後、ビデオコントローラへ送信して、その制御機能を設定する。
【００１２】
【発明が解決しようとする課題】
しかし、従来の店舗システムでは、システム全体の装置が大規模になり、コストがかかるという問題があった。また、複雑な機能を備えているので、管理や操作がめんどうであるという問題もあった。
【００１３】
本発明は、上記従来の問題を解決して、店舗システムでの注文商品の処理が容易に確実にできるようにするとともに、店舗システムのコストを低減することを目的とする。
【００１４】
【課題を解決するための手段】
上記の課題を解決するために、本発明では、客の注文を登録するレジスタと、画面を見ながら注文商品の準備をするための表示コントローラとを備えた店舗システムのレジスタに、注文商品を表示コントローラに送信する手段を備え、表示コントローラに、注文内容をレジスタ毎に別々に表示する表示器と、表示器の画面を制御するキー手段とを備えた構成とした。このように構成したことにより、注文商品を画面で確認できるようになり、注文を迅速容易に処理できる。
【００１５】
また、レジスタに、注文商品を表示する表示器を選択する手段を設け、表示コントローラに、各レジスタの注文内容を表示する表示器を設定する手段と、複数のレジスタの注文商品を同一の表示器に表示する制御手段と、注文内容を消去する手段とを設けた。このように構成したことにより、システムのコストダウンができる。
【００１６】
また、レジスタに、注文商品を表示する表示器と表示位置を選択する手段を設け、表示コントローラに、複数のレジスタの注文商品を同一の表示器に表示する制御手段と、各レジスタの画面を制御するキー手段と、注文内容を消去する手段とを設けた。このように構成したことにより、システムのコストダウンができ、注文処理も迅速にできる。
【００１７】
レジスタに、表示器の画面を制御する画面制御キーと、画面制御キーの情報を表示コントローラに送信する手段とを設け、表示コントローラに、レジスタからのキー情報に基づき注文内容を消去する手段を設けた。このように構成したことにより、コントロールキーを削減して、システムのコストダウンができる。
【００１８】
また、客の注文を登録するレジスタと、画面を見ながら注文商品の準備をするための表示器とを備えた店舗システムのレジスタに、表示器に注文内容を送信する手段と、表示器の表示画面を消去するキー手段とを備えた。このように構成したことにより、注文表示制御を全てレジスタで行うことにより、表示コントローラを削減して、システムのコストダウンができる。
【００１９】
客の注文を登録するレジスタと、画面を見ながら注文商品の準備をするための注文表示器とを備えた店舗システムのレジスタに、注文登録中画面と商品準備中画面を同時に表示する手段と、注文表示器と無線で通信する手段とを設け、注文表示器に、レジスタのエミュレートを行う手段と、レジスタ操作用の登録用画面と注文商品を表示する画面を表示する手段とを設けた。このように構成したことにより、注文処理用に特別なプログラムを作成する必要が無く、簡便に注文商品を表示することができる。
【００２０】
【発明の実施の形態】
以下、本発明の実施の形態について、図１〜図２２を参照しながら詳細に説明する。
【００２１】
（第１の実施の形態）
本発明の第１の実施の形態は、レジスタから表示コントローラに注文内容を送り、表示コントローラで、レジスタ毎の注文内容を表示して、表示画面を見ながら商品の準備をし、商品準備完了後、注文画面を消去する店舗システムである。
【００２２】
図１は、本発明の第１の実施の形態における店舗システムの概念図である。図１において、表示コントローラ１１は、画面を見ながら注文商品の準備をするための装置である。レジスタ１２は、客の注文を登録する手段である。表示器１３と、レジスタ１２の注文内容を表示する装置である。コントロールキー１４は、表示器１３の画面を消すためのキーである。接続ケーブル１５は、表示コントローラ１１と表示器１３とコントロールキー１４を接続する手段である。レジスタ１６は、客の注文を登録する手段である。表示器１７は、レジスタ１６の注文内容を表示する装置である。コントロールキー１８は、表示器１７の画面を消すためのキーである。接続ケーブル１９は、表示器１７とコントロールキー１８を接続する手段である。通信回線２０は、表示コントローラ１１とレジスタ１２とレジスタ１６を接続する手段である。
【００２３】
表示コントローラ１１と、レジスタ１２及びレジスタ１６は、通信回線２０で接続されている。表示コントローラ１１には、レジスタ１２の注文内容を表示する表示器１３と、表示器１３の画面を消すためのコントロールキー１４が、接続ケーブル１５により接続されている。また、レジスタ１６の注文内容を表示する表示器１７と、表示器１７の画面を消すためのコントロールキー１８が、接続ケーブル１９により接続されている。
【００２４】
図３は、本発明の第１の実施の形態における店舗システムの表示コントローラの内部構成を示す機能ブロック図である。図３において、ＣＰＵ３１は、表示や通信等の入出力の制御行う手段である。プログラムメモリ３２は、表示コントローラの表示制御や通信制御のプログラムを記憶しておくメモリである。通信回路３３は、レジスタと通信するための手段である。データメモリ３４は、表示データや通信データを記憶しておくメモリである。表示回路３５は、表示器１３に注文内容を表示するための手段である。表示回路３６は、表示器１７に注文を表示するための手段である。インタフェース回路３７は、コントロールキー１４からのキー入力信号を受け付ける回路である。インタフェース回路３８は、コントロールキー１８からのキー入力信号を受け付ける回路である。表示回路及びインタフェースは、接続されるレジスタ及び表示器の個数分だけ内蔵されている。
【００２５】
上記のように構成された本発明の第１の実施の形態における店舗システムの動作を説明する。最初に、図１を参照しながら、店舗システムの動作概要を説明する。レジスタ１２及びレジスタ１６で登録が行われると、レジスタ番号・商品個数・商品名・レシート番号・注文形態等が、表示コントローラ１１に送信される。表示コントローラ１１は、レジスタ毎に送られて来た注文内容を、各レジスタに対応する表示器１３及び表示器１７に表示する。レシートが客に手渡される。商品を準備する従業員は、表示器１３及び表示器１７を見ながら注文商品を準備する。商品が準備出来たら、客に渡す。次の客の注文を表示させるために、各々の表示器と対になっているコントロールキー１４及びコントロールキー１８を押す。
【００２６】
図２に、店舗システムの画面表示例を示す。レシート番号２１と、店舗内で飲食するか持ち帰りかを示す販売形態２２と、注文商品の個数と商品名２３を表示している。
【００２７】
図４は、店舗システムの表示コントローラの概略処理ルーチンを示す流れ図である。図４を参照しながら、表示コントローラの概略処理ルーチンを説明する。ステップ４１では、レジスタからのデータを受信したか否かを判定する。データを受信した時は、ステップ４５に飛ぶ。それ以外の時は、ステップ４２で、コントロールキーが押されたか否かを判定する。コントロールキーが押されていなければ、他の処理ルーチンに飛ぶ。コントロールキーが押されたなら、ステップ４３で、押されたキーに該当する表示回路のデータを消去する。データメモリから、押されたキーに該当する次の注文内容を表示し、その他の処理ルーチンに飛ぶ。ステップ４５では、レジスタからの受信データをデータメモリに記憶する。ステップ４６では、データを受信したレジスタ番号に該当する表示回路が、表示可能か否かを判定する。表示不可能であれば、その他の処理ルーチンに飛ぶ。表示可能であれば、ステップ４７で、受信したレジスタに該当する表示回路に、データメモリ内に記憶されている注文内容を表示する。
【００２８】
上記のように、本発明の第１の実施の形態では、店舗システムを、レジスタから表示コントローラに注文内容を送り、表示コントローラで、レジスタ毎の注文内容を表示して、表示画面を見ながら商品の準備をし、商品準備完了後、注文画面を消去する構成としたので、商品を準備する従業員が、表示画面を見ながら商品の準備をすることができ、迅速な注文処理が可能になり、人的ミスを少なくすることができる。
【００２９】
（第２の実施の形態）
本発明の第２の実施の形態は、レジスタ毎に、どの表示器に注文内容を表示するかを選択する機能を設けた店舗システムである。
【００３０】
図５は、本発明の第２の実施の形態における店舗システムの表示回路設定テーブルを示す図である。図５において、表示回路番号テーブル５１は、表示器の番号を設定するテーブルである。レジスタ番号テーブル５２は、レジスタの番号を設定するテーブルである。図７は、店舗システムの概念図である。
【００３１】
上記のように構成された本発明の第２の実施の形態における店舗システムの動作を説明する。図５を参照しながら、表示回路設定テーブルを説明する。表示回路番号テーブル５１に、表示器の番号を設定する。レジスタ番号テーブル５２に、レジスタの番号を設定する。これらのテーブルが、表示コントローラ内のデータメモリに追加されている。
【００３２】
図６は、本発明の第２の実施の形態における店舗システムの表示コントローラの概略処理ルーチンを示す流れ図である。図６を参照しながら、表示コントローラ概略処理ルーチンを説明する。第１の実施の形態で説明した図４の流れ図に、表示回路設定テーブルを読み出すステップ６１とステップ６２が追加されている。ステップ４１とステップ４２は、第１の実施の形態と同じである。
【００３３】
ステップ６１では、表示回路設定テーブルを読み出す。押されたコントロールキーは、表示器と対になっているので、コントロールキーに該当する表示回路番号が設定されているレジスタ番号を読み出す。ステップ６２では、受信したレジスタ番号に該当する表示回路を、設定テーブルから読み出す。その他の概略フローは、図４に示した第１の実施の形態の処理フローと同様である。
【００３４】
図７を参照しながら、店舗システムの動作を説明する。１または複数のレジスタに対して１台ずつの表示器が、表示コントローラを介して接続されている。図５の表示回路設定テーブルに従って、例えば、レジスタ＃１とレジスタ＃２の注文内容は、表示器＃１に表示される。レジスタ＃ｎとレジスタ＃（ｎ＋１）の注文は、表示器＃ｎに表示される。各表示器には、レジスタからの、先に取られた注文内容が表示されている。商品が準備できたら、コントローラキーにより、次に取られた注文内容を表示して、注文を処理していく。同じ表示器に、複数のレジスタの注文内容を表示することができ、表示器を選択できる。
【００３５】
上記のように、本発明の第２の実施の形態では、店舗システムを、レジスタ毎に、どの表示器に注文内容を表示するかを選択する構成としたので、複数のレジスタの注文内容を、１個の表示器に表示させることにより、機器のコストが削減できる。また、商品を準備する従業員も削減することができる。
【００３６】
（第３の実施の形態）
本発明の第３の実施の形態は、レジスタ毎に、表示する表示器の番号と表示器内の表示位置を選択する機能を設けた店舗システムである。
【００３７】
図８は、本発明の第３の実施の形態における店舗システムの表示パネル番号設定テーブルを示す図である。図８において、レジスタ番号テーブル８１は、レジスタ番号を設定するテーブルである。表示器番号テーブル８２は、表示器の番号設定するテーブルである。パネル位置番号テーブル８３は、パネル位置番号を設定するテーブルである。
【００３８】
図９は、本発明の第３の実施の形態における店舗システムの表示コントローラの概略処理ルーチンを示す流れ図である。図１０は、店舗システムの概念図である。図１１は、店舗システムの画面表示例を示す図である。
【００３９】
上記のように構成された本発明の第３の実施の形態における店舗システムの動作を説明する。図８を参照しながら、表示パネル番号設定テーブルを説明する。レジスタ番号テーブル８１に、レジスタ番号を設定する。表示器番号テーブル８２に、表示器の番号を設定する。パネル位置番号テーブル８３に、パネル位置番号を設定する。これらのテーブルが、表示コントローラ内のデータメモリに設けられている。図８の例では、表示器の画面は、３パネルに分割されている。例えば、表示器＃１には、レジスタ番号１の注文内容がパネル＃１の位置に、レジスタ番号２の注文内容がパネル＃２の位置に、レジスタ番号３の注文内容がパネル＃３の位置に表示される。
【００４０】
図９を参照しながら、表示コントローラの概略処理ルーチンを説明する。第１の実施の形態の処理ルーチンに対して、表示パネル設定に関するステップ９１、ステップ９２、ステップ９３及びステップ９４が変更されている。ステップ４１とステップ４２は、第１の実施の形態と同じである。
【００４１】
ステップ９１では、押されたコントロールキーに該当する表示器のパネルを消去し、データメモリから、押されたキーに該当するレジスタの次の注文内容を表示し、その他の処理ルーチンに飛ぶ。ステップ９２では、受信したレジスタ番号に該当する表示器とパネル番号を設定テーブルから読み出す。ステップ９３では、該当する表示器のパネルが表示可能か否かを判定する。表示不可能であれば、その他の処理ルーチンに飛ぶ。表示可能であれば、ステップ９４で、該当パネルに、データメモリ内の受信したレジスタのデータを表示する。その他の概略フローは、第１の実施の形態（図４）と同様である。
【００４２】
図１０を参照しながら、店舗システムの動作を説明する。表示コントローラに、表示器１０１とコントロールキー１０２，１０３及び１０４が接続されている。図８の表示パネル設定テーブルに従って、対応関係がつけられている。図１１に、表示器＃１の画面表示例を示す。パネル＃１には、レジスタ番号１の注文が表示される。パネル＃２には、レジスタ番号２の注文が表示される。パネル＃３には、レジスタ番号３の注文が表示される。各レジスタ担当の従業員は、自分の担当分のパネルを見て、商品を準備する。商品が準備できたら、自分のコントロールキーを押して、次に取られた注文を表示し、その注文を処理する。表示器に複数のレジスタの注文を同時に表示するので、並列処理ができる。
【００４３】
上記のように、本発明の第３の実施の形態では、店舗システムを、レジスタ毎に、表示する表示器の番号と表示器内の表示位置を選択する構成としたので、複数のレジスタの注文内容を１個の表示器に表示させて、機器のコストを削減できる。また、複数レジスタの注文内容を同時表示することにより、注文処理が並列でできるようになり、迅速な処理が可能になる。
【００４４】
（第４の実施の形態）
本発明の第４の実施の形態は、レジスタ上にコントローキーを設けて、キー情報を表示コントローラに送信する店舗システムである。
【００４５】
図１２は、本発明の第４の実施の形態における店舗システムのレジスタ画面を示す図である。図１３は、本発明の第４の実施の形態における店舗システムのレジスタのキー概略処理ルーチンを示す流れ図である。図１４は、本発明の第４の実施の形態における店舗システムの表示コントローラ概略処理ルーチンを示す流れ図である。図１５は、本発明の第４の実施の形態における店舗システムの概念図である。
【００４６】
上記のように構成された本発明の第４の実施の形態における店舗システムの動作を説明する。図１２を参照しながら、店舗システムの動作を説明する。図１２は、レジスタの注文を取り終わった状態の画面を示す。表示器の画面消去を行うコントロールキー１２１が追加されている。客に注文商品を渡した時に、レジスタ上のコントロールキー１２１を押して、表示器から注文商品を消す。
【００４７】
図１３を参照しながら、レジスタのキー処理の概略を説明する。従来のレジスタのキー処理ルーチンに、ステップ１３１及びステップ１３２が追加されている。ステップ１３１では、コントロールキーが押されたか否かを判定する。コントロールキーが押されていなければ、その他の処理ルーチンへ飛ぶ。コントロールキーが押されたなら、ステップ１３２で、表示コントローラに対して、レジスタ番号と、コントロールキーが押されたことを示すコマンドを送信して、その他の処理に飛ぶ。
【００４８】
図１４を参照しながら、表示コントローラ概略処理ルーチンを説明する。第１の実施の形態の表示コントローラ概略処理ルーチンに、レジスタからの受信データが、注文データかキーデータを判定するためのステップ１４１とステップ１４２が追加されている。
【００４９】
ステップ１４１では、レジスタから受信したデータが、注文データか否かを判定する。注文データなら、受信データをデータメモリに記憶するルーチンに飛ぶ。それ以外の時は、ステップ１４２で、レジスタから受信したデータが、コントロールキー情報か否かを判定する。コントロールキー情報であれば、受信したレジスタ番号に該当する表示画面消去処理ルーチンに飛ぶ。それ以外の時は、その他の処理ルーチンに飛ぶ。その他の概略フローは、第１の実施の形態（図４）と同様である。　図１５の店舗システムを説明する。表示コントローラに接続されていたコントロールキーが無くなっている。レジスタ上のコントロールキーで画面制御をすることにより、コントロールキーを不要にしている。
【００５０】
上記のように、本発明の第４の実施の形態では、店舗システムを、レジスタ上にコントローキーを設けて、キー情報を表示コントローラに送信する構成としたので、レジスタ上のコントロールキーで、表示器の画面を制御することにより、機器のコストを削減できる。また、コントロールキーのための接続ケーブルも不要になる。
【００５１】
（第５の実施の形態）
本発明の第５の実施の形態は、レジスタに、注文表示器とコントロールキーを接続し、レジスタで注文表示を制御する店舗システムである。
【００５２】
図１６は、本発明の第５の実施の形態における店舗システムのレジスタの内部構成を示す機能ブロック図である。従来のレジスタに、注文表示回路１６４とキーインタフェース回路１６５が追加されている。計算や入出力の制御行うＣＰＵ１６１と、商品の登録や金額の入力を行うためのタッチパネル１６２と、操作者に登録内容を示すための表示器１６３と、注文内容を表示するための表示器に表示データを出力するための注文表示回路１６４と、コントロールキーを入力するためのキーインタフェース回路１６５と、レジスタの売り上げ計算や入出力の制御を記憶しておくプログラムメモリ１６６と、販売金額や販売個数を記憶しておく合計器メモリ１６７と、単価や商品名などを記憶しておくデータメモリ１６８とで構成されている。
【００５３】
図１７は、本発明の第５の実施の形態における店舗システムのレジスタのキー処理概略ルーチンを示す流れ図である。図１８は、本発明の第５の実施の形態における店舗システムの概念図である。
【００５４】
上記のように構成された本発明の第５の実施の形態における店舗システムの動作を説明する。図１７を参照しながら、レジスタのキー処理概略ルーチンを説明する。ステップ１７１では、登録キーが押された否かを判定する。登録キーが押されたなら、ステップ１７７に飛ぶ。それ以外の時は、ステップ１７２で、締めキーが押されたか否かを判定する。締めキーが押されたなら、ステップ１７８に飛ぶ。それ以外の時は、ステップ１７３で、コントロールキーが押されたか否かを判定する。コントロールキーが押されたなら、ステップ１７９に飛ぶ。それ以外の時は、ステップ１７４で、点検・精算キーが押されたか否かを判定する。点検・精算キーが押されたなら、ステップ１８０に飛ぶ。それ以外の時は、ステップ１７５で、オープンキーが押されたか否かを判定する。オープンキーが押されていなければ、その他の処理に飛ぶ。オープンキーが押されたなら、ステップ１７６で、レジスタ内の前日の販売データや、従業員の勤怠データ等のクリアや、設定データの更新を行うオープン処理を行い、その他の処理に飛ぶ。
【００５５】
ステップ１７７では、データメモリ内の設定データを使用して、商品販売の登録処理を行う。処理終了後に、次のキー待ちステップ１７１に飛ぶ。ステップ１７８では、売り上げデータの集計・釣り銭計算・売り上げデータの合計器メモリ１６７への加算・レシートの発行等を行う。登録ステップ１７７で取った注文内容を、データメモリ１６８に記憶し、次のキー待ちステップ１７１に飛ぶ。ステップ１７９では、注文表示器のデータを消去し、データメモリ１６８に次の注文があったら、注文表示器に出力し、次のキー待ちステップ１７１に飛ぶ。ステップ１８０では、売り上げ集計の確認をする点検処理または売り上げ集計の確認及びクリアを行う精算処理を行い、処理終了後に、次のキー待ちステップ１７１に飛ぶ。
【００５６】
図１８に、店舗システムを示す。コントローラが無くなっているが、注文を取る従業員及び商品を準備する従業員の動作は、第１の実施の形態と同様である。レジスタに、表示器とコントロールキーを制御する手段を設けることにより、コントローラを不要にしている。
【００５７】
上記のように、本発明の第５の実施の形態では、店舗システムのレジスタに、注文表示器とコントロールキーを接続し、レジスタで注文表示を制御する構成としたので、機器のコストを削減できる。また、表示器とコントロールキーとの接続ケーブルも不要になる。
【００５８】
（第６の実施の形態）
本発明の第６の実施の形態は、レジスタと同じ表示画面を表示するインテリジェント注文表示器を、無線でレジスタに接続し、レジスタで、注文表示をコントロールする店舗システムである。
【００５９】
図１９は、本発明の第６の実施の形態における店舗システムのレジスタの内部構成を示す機能ブロック図である。第５の実施の形態から、注文表示回路とキーインタフェース回路が削除され、無線通信回路１９１が追加されている。
【００６０】
図２０は、本発明の第６の実施の形態における店舗システムの注文表示器の内部構成を示す機能ブロック図である。無線通信やタッチパネル等の入出力の制御行うＣＰＵ２０１と、キー入力を行うためのタッチパネル２０２と、レジスタと同じ画面を表示するための表示器２０３と、レジスタと無線通信するための無線通信回路２０４と、入出力制御を記憶しておくプログラムメモリ２０５と、通信データや画面データを記憶しておくワークメモリ２０６とで構成されている。
【００６１】
図２１は、本発明の第６の実施の形態における店舗システムのレジスタ及び注文表示器の画面を示す図である。図２２は、本発明の第６の実施の形態における店舗システムの概念図である。
【００６２】
上記のように構成された本発明の第６の実施の形態における店舗システムの動作を説明する。注文表示器は、通信機能や画面表示制御機能を搭載することにより、レジスタのクライアントとして動作する機能を持つ。注文表示器でレジスタをエミュレートする。
【００６３】
図２２に、店舗システムを示す。コントロールキーを押す代わりに、画面エリア２１２のキーを押す。注文を取る従業員及び商品を準備する従業員のそれ以外の動作は、第１の実施の形態と同様である。画面情報とキー情報を無線通信で行うことにより、コントローラを不要にしている。
【００６４】
図２１に、レジスタと注文表示器の画面構成を示す。受けつつある注文は、画面エリア２１１に表示する。受けた注文は画面エリア２１２に表示する。消去キー２１３は、画面エリア２１２を消すためのキーである。
【００６５】
レジスタの画面を２分割し、注文表示器でレジスタをエミュレートすることにより、特別な注文制御プログラムを作成することなく、従業員が表示画面を見ながら商品の準備をすることができ、迅速な注文処理が可能になり、人的ミスを少なくすることができる。
【００６６】
上記のように、本発明の第６の実施の形態では、店舗システムを、インテリジェント注文表示器を無線でレジスタに接続し、レジスタで注文表示をコントロールする構成としたので、表示コントローラが不要になる。
【００６７】
【発明の効果】以上の説明から明らかなように、本発明では、店舗システムに、注文内容をレジスタ毎に別々に表示する表示器を備えたので、注文商品を画面で確認できるようになり、注文を迅速容易に処理でき、準備ミスも軽減できる。また、複数のレジスタの注文商品を同一の表示器に表示することで、システムのコストダウンができる。
【図面の簡単な説明】
【図１】本発明の第１の実施の形態における店舗システムの概念図、
【図２】
本発明の第１の実施の形態における店舗システムの画面表示例の図、
【図３】
本発明の第１の実施の形態における店舗システムの表示コントローラの内部構成を示す機能ブロック図、
【図４】
本発明の第１の実施の形態における店舗システムの表示コントローラの概略処理ルーチンを示す流れ図、
【図５】
本発明の第２の実施の形態における店舗システムの表示回路設定テーブルを示す図、
【図６】
本発明の第２の実施の形態における店舗システムの表示コントローラの概略処理ルーチンを示す流れ図、
【図７】本発明の第２の実施の形態における店舗システムの概念図、
【図８】
本発明の第３の実施の形態における店舗システムの表示パネル番号設定テーブルを示す図、
【図９】
本発明の第３の実施の形態における店舗システムの表示コントローラの概略処理ルーチンを示す流れ図、
【図１０】
本発明の第３の実施の形態における店舗システムの概念図、
【図１１】
本発明の第３の実施の形態における店舗システムの画面表示例を示す図、
【図１２】
本発明の第４の実施の形態における店舗システムのレジスタ画面を示す図、
【図１３】
本発明の第４の実施の形態における店舗システムのレジスタのキー概略処理ルーチンを示す流れ図、
【図１４】
本発明の第４の実施の形態における店舗システムの表示コントローラ概略処理ルーチンを示す流れ図、
【図１５】
本発明の第４の実施の形態における店舗システムの概念図、
【図１６】
本発明の第５の実施の形態における店舗システムのレジスタの内部構成を示す機能ブロック図、
【図１７】
本発明の第５の実施の形態における店舗システムのレジスタのキー処理概略ルーチンを示す流れ図、
【図１８】
本発明の第５の実施の形態における店舗システムの概念図、
【図１９】
本発明の第６の実施の形態における店舗システムのレジスタの内部構成を示す機能ブロック図、
【図２０】
本発明の第６の実施の形態における店舗システムの注文表示器の内部構成を示す機能ブロック図、
【図２１】
本発明の第６の実施の形態における店舗システムのレジスタ及び注文表示器の画面を示す図、
【図２２】
本発明の第６の実施の形態における店舗システムの概念図、
【図２３】
従来の店舗システムの概念図、
【図２４】
従来のレシート印字例を示す図である。
【符号の説明】
１１　表示コントローラ
１２，１６，２３４　レジスタ
１３，１７，１０１，１０２，１８１，２０３　表示器
１４，１８，１０２，１０３，１０４，１２１，２１３　コントロールキー
１５，１９　接続ケーブル
２０　通信回線
２１　レシート番号
２２　販売形態
２３　注文内容
３１，１６１，２０１　ＣＰＵ
３２，１６６，２０５　プログラムメモリ
３３　通信回路
３４，１６８　データメモリ
３５，３６　表示回路
３７，３８　インタフェース
５１　表示回路番号テーブル
５２，８１　レジスタ番号テーブル
８２　表示器番号テーブル
８３　パネル位置番号テーブル
１６２，２０２　タッチパネル
１６３　レジスタ表示器
１６４　注文表示回路
１６５　キーインタフェース回路
１６７　合計器メモリ
１９１，２０４　無線通信回路
２０６　ワークメモリ
２１１　現在の注文表示エリア
２１２　準備すべき注文表示エリア
２２１　イテリジェント表示器
２３１　注文待ち客
２３２　商品待ち客
２３３　プリンタ
２３５　レシート
２３６　注文を取る従業員
２３７　商品を準備する従業員
【図１】
2004046511.tif 000003
【図２】
2004046511.tif 000004
【図３】
2004046511.tif 000005
【図４】
2004046511.tif 000006
【図５】
2004046511.tif 000007
【図６】
2004046511.tif 000008
【図７】
2004046511.tif 000009
【図８】
2004046511.tif 000010
【図９】
2004046511.tif 000011
【図１０】
2004046511.tif 000012
【図１１】
2004046511.tif 000013
【図１２】
2004046511.tif 000014
【図１３】
2004046511.tif 000015
【図１４】
2004046511.tif 000016
【図１５】
2004046511.tif 000017
【図１６】
2004046511.tif 000018
【図１７】
2004046511.tif 000019
【図１８】
2004046511.tif 000020
【図１９】
2004046511.tif 000021
【図２０】
2004046511.tif 000022
【図２１】
2004046511.tif 000023
【図２２】
2004046511.tif 000024
【図２３】
2004046511.tif 000025
【図２４】
2004046511.tif 000026